(57)【要約】【課題】ドラムセットにおけるバスドラム（ｂａｓｓ  ｄｒｕｍ）を電子ドラムに改装するのに用いられる遮音性電子パッドを提供する。【解決手段】電子パッド１０は、支持装置２０によってバスドラムのドラムフレームに組み合わせる。電子パッド１０は、バスドラムのドラムヘッドとドラムペダルとの間に位置する。電子パッド１０はバスドラムのドラムヘッドに接触されていないため、ドラムペダルのドラムビータは、バスドラムのドラムヘッドに打撃せず、電子パッド１０に打撃する。電子パッド１０および電子パッド１０と結合する外接のトリガモジュールにより、バスドラムの電子ドラムの音が模擬され、ヘッドホンまたはスピーカなどの出力装置により出力される。よって、電子パッド１０は、バスドラムを電子ドラムに改装するのに用いられる。【選択図】図１
0003197280.tif 000002
【実用新案登録請求の範囲】
【請求項１】
電子パッドと支持装置とを備え、
前記電子パッドは、
基板と、
前記基板の裏面に嵌め込まれた電子センサと、
前記基板の裏面に嵌め込まれており、且つ前記電子センサと結合するソケットと、
前記基板の正面に固定された打撃パッドと、
前記基板の裏面に固定された封止板と、を有し、
前記支持装置は、
基座と、
前記基座の前部に設けられたドラムフレーム結合部材と、
前記基座に設けられており、且つ上下方向へ調整可能な一対の支持棒と、を有し、
前記支持棒は、上部が前記電子パッドに枢設かつ貫通されており、
前記ドラムフレーム結合部材は、ドラムセットにおけるバスドラムのドラムフレームに結合されており、
前記電子パッドの打撃パッドは、前記ドラムセットのドラムペダルと対向し、かつドラムペダルのドラムビータの打撃を受けることを特徴とする遮音性電子パッド。
【請求項２】
前記支持装置は、
前記基座の左右両側に設けられた一対の立設柱と、
二つ立設柱に接続して固定される横棒と、
前記横棒に固定されている一対のモジュールと、をさらに有し、
前記支持棒は、前記モジュールに回転可能に貫通されており、上下方向の高さが調整可能であることを特徴とする請求項１に記載の遮音性電子パッド。
【請求項３】
パッキン部材は、前記モジュール内にロックされており、前記支持棒と直交となり、前記支持棒をパッキングし定位することを特徴とする請求項２に記載の遮音性電子パッド。
【請求項４】
前記電子パッドにおける前記ソケットおよび前記電子センサは、前記基板の裏面に嵌め込まれた伝送回路によって電気的に接続されていることを特徴とする請求項１に記載の遮音性電子パッド。
【請求項５】
前記電子パッドは、前記基板に一対の杆状溝が設けられており、
前記支持棒の上部は、前記杆状溝に回転可能に貫通されており定位されていることを特徴とする請求項１に記載の遮音性電子パッド。
【請求項６】
前記封止板の厚さ方向の面を貫通し、且つ二つの前記支持棒の上部に対して、半径方向の押圧力を作用する二つの位置決め部材をさらに備えることを特徴とする請求項５に記載の遮音性電子パッド。
【請求項７】
前記ドラムフレーム結合部材は、前記バスドラムのドラムフレームを挟持する挟持構造を有することを特徴とする請求項１に記載の遮音性電子パッド。
【請求項８】
前記ドラムフレーム結合部材は、前記バスドラムのドラムフレームを錠止する錠止構造を有することを特徴とする請求項１に記載の遮音性電子パッド。
【請求項９】
前記ドラムフレーム結合部材は、前記バスドラムのドラムフレームを係止するフック構造を有することを特徴とする請求項１に記載の遮音性電子パッド。
【請求項１０】
前記支持装置は、前記基座の後部にドラムペダルの基座と接続するのに用いられるドラムペダル結合部材が設けられていることを特徴とする請求項１に記載の遮音性電子パッド。
【請求項１１】
前記ドラムペダル結合部材は、シートバー構造であることを特徴とする請求項１０に記載の遮音性電子パッド。
【請求項１２】
前記バスドラムは、前部のドラムヘッドおよび後部のドラムヘッドに、振動を制限するドラムヘッドの止音パッドが貼付けられていることを特徴とする請求項１に記載の遮音性電子パッド。
【考案の詳細な説明】
【技術分野】
【０００１】
本考案は、ドラムセットにおけるバスドラム（ｂａｓｓ  ｄｒｕｍ）に関し、詳しくは、バスドラムに組み合わせる遮音性電子パッドに関する。
【背景技術】
【０００２】
ドラムセットは、各種異なる類型、異なる音色の手で叩く打楽器と足で踏む打楽器とが組み合わせたものであり、様々の音楽に応用可能である。電子ドラムは、電子合成器によって音を出す電子式打楽器であり、主に電子合成器および打撃面を含み、外観は、ドラムセットに近いが、体積およびドラムヘッドが比較的に小さい。
【０００３】
音楽の類型および演奏タイプが多様化するにつれ、多くの打ち方がドラムセットおよび電子ドラムを熟知する必要がある。しかしながら、演奏中や練習中において、ドラムセットおよび電子ドラムを同時に設置すると大きな空間が占められる恐れがある。また、ドラムセットのバスドラム、トムトム、スネアドラムおよびシンバルの位置と高さとが電子ドラムとことごとく同じだとは限らない。ドラムセットに慣れているドラマーであっても改めて多少時間をかけて電子ドラムの鼓とシンバルの位置に適応することによって、打撃感覚を育てる必要がある。よって、ドラムセットを直接電子ドラムに改装することができれば、ドラマーの適応問題が解決可能であり、二セットのドラムの空間も減らすことができる。
【考案の概要】
【考案が解決しようとする課題】
【０００４】
本考案は、上述の問題に鑑みてなされたものであり、その目的は、ドラムセットにおけるバスドラム（ｂａｓｓ  ｄｒｕｍ）を電子ドラムに改装するのに用いられる遮音性電子パッドを提供することにある。
【課題を解決するための手段】
【０００５】
上述の問題を解決するために、本考案による遮音性電子パッドは、ドラムセットにおけるバスドラムの遮音性電子パッドであり、電子パッドおよび支持装置を備える。電子パッドは、支持装置によってバスドラムのドラムフレームに組み合わせる。電子パッドは、バスドラムのドラムヘッドとドラムペダルとの間に位置する。電子パッドはバスドラムのドラムヘッドに接触されていないため、ドラムペダルのドラムビータは、バスドラムのドラムヘッドに打撃せず、電子パッドに打撃する。電子パッドおよび電子パッドと結合する外接のトリガモジュールにより、バスドラムの電子ドラムの音が模擬され、ヘッドホンまたはスピーカなどの出力装置により出力される。よって、電子パッドは、バスドラムを電子ドラムに改装するのに用いられる。
【０００６】
また、支持装置は、ドラムフレームの結合部材によって、バスドラムのドラムフレームに固定される。支持装置の後部は、ドラムペダル結合部材によってドラムペダルに接続して固定される。よって、バスドラムのドラムフレーム、電子パッド、支持装置、およびドラムペダルが相互に直列して固定される。
【０００７】
また、支持装置における電子パッドの高さは調整することができる。
【０００８】
さらに、バスドラムは、前部と後部とのドラムヘッドに、それぞれドラムヘッドの止音パッドを貼り付けることにより、バスドラムのドラムヘッドの振動共鳴を防止することができる。
【０００９】
電子パッドは、バスドラムのドラムフレームに組み合わせており、バスドラムのドラムヘッドを電子パッドに取って代わる。よって、ドラムセットのバスドラムを電子ドラムに改装する。
【００１０】
電子パッドは、バスドラムのドラムフレームに組み合わせているため、組み合わせ、置換、取り外しに非常に便利で快速である。
【００１１】
バスドラムのドラムフレームと電子パッドの支持部とドラムペダルの基座とが相互に直列して固定されるため、組立の安定性を高めることができる。
【００１２】
支持部における電子パッドの高さが調整可能であるため、異なる直径サイズ（１８、２０、２２、２４、２６インチ）に対応することができる。
【００１３】
さらに、バスドラムは、前部のドラムヘッドと後部のドラムヘッドにドラムヘッドの止音パッドにより振動共鳴が制限される。バスドラムにおけるドラムヘッドは、振動共鳴が９５％以上除去され、共鳴の雑音も除去される。
【図面の簡単な説明】
【００１４】
【図１】本考案の一実施形態による電子パッドおよびその支持装置を示す斜視図である。
【図２】本考案の一実施形態による電子パッドを示す分解斜視図である。
【図３】本考案の一実施形態による支持装置とバスドラムのドラムフレームおよびドラムペダルの接続固定を示す図である。
【図４】本考案の一実施形態による支持装置とバスドラムのドラムフレームおよびドラムペダルの接続固定を示す側面図である。
【図５】本考案の一実施形態による飾り付き電子パッドを示す斜視図である。
【考案を実施するための形態】
【００１５】
（一実施形態）
本考案の内容を説明する便宜上、具体的な実施形態を示す。実施形態において、各種異なる部材は、説明の便宜のための比例、サイズ、変形量、または変位量に基づいて記載されており  、実際の部材の比例に基づいて記載されていない。以下の説明において、類似する部材は、同じ整理番号にして示す。
【００１６】
図１〜３に示すように、本考案のドラムセットにおけるバスドラムの遮音性電子パッドは、電子パッド１０および支持装置２０を備える。
【００１７】
電子パッド１０は、基板１１、基板１１の裏面に嵌め込む電子センサ１２、基板１１の裏面に嵌め込むソケット１３、基板１１の裏面に嵌め込み、且つソケット１３および電子センサ１２に電気的に接続する伝送回路１４、基板１１に形成された二つの杆状溝１５、基板１１の正面に固定された打撃パッド１６、基板１１の裏面に固定された封止板１７を含む。基板１１は、輪郭が様々な幾何学的形状であってもよい。且つ基板１１の材質は、木材、シリカゲル、ゴム、金属を含むが、前記の材質に限らない。打撃パッド１６は、輪郭が様々な幾何学的形状であってもよい。且つ打撃パッド１６は、材質が木材、シリカゲル、ゴムを含むが、前記の材質に限らない。
【００１８】
支持装置２０は、地面に安定的に配置可能な基座２１、基座２１の左右両側に設けた一対の立設柱２２、基座２１の前部に設けたドラムフレーム結合部材２３、基座２１の後部に設けたドラムペダル結合部材２４、二つの立設柱２２を接続する横棒２５、横棒２５に設けた一対のモジュール２６、それぞれモジュール２６に直立して枢設し、且つ上下の高さが調整可能な支持棒２７を有する。支持棒２７は、上部が電子パッド１０の杆状溝１５に枢動可能に貫通されており、封止板１７の厚さ方向の面を貫通し、且つ二つの支持棒２７の上部を半径方向に押圧力を作用する位置決め部材２９を含む。
【００１９】
横棒２５と立設柱２２、および横棒２５とモジュール２６は、相対的回転を制限する接続関係をもつことで、横棒２５とモジュール２６とが結合する安定性を確保することができる。
【００２０】
支持棒２７は、モジュール２６のパッキン部材２８に横方向へロックインされることによって、モジュール２６に固定されている。言い換えれば、パッキン部材を緩めば、支持棒２７がモジュール２６において上下に移動可能になることで、支持装置２０における電子パッド１０の高さを調整することができる。よって、電子パッド１０は、異なる直径のサイズ（１８、２０、２２、２４、２６インチ）のバスドラムに対応することができる。支持棒２７が杆状溝１５に枢設して貫通される深さによって、電子パッド１０の高さを調整することができる。位置決め部材２９は、杆状溝１５の支持棒２７にパッキングして定位することによって、電子パッド１０が、調整された高さを保持可能である。位置決め部材２９は、電子パッド１０および支持棒２７をさらに堅固に結合され、両者間の揺動隙間を除去することによって、電子パッド１０が打撃されたとき、支持棒２７と衝突して雑音が発生されることを防止することができる。
【００２１】
図３および図４に示すように、ドラムフレーム結合部材２３は、挟持構造であってもよい。ドラムフレーム結合部材２３は、バスドラム３０のドラムフレーム３１に挟持する。また、ドラムフレーム結合部材２３は、錠止構造であってもよい（図示せず）、ドラムフレーム結合部材２３は、錠止部材によってバスドラム３０のドラムフレーム３１を錠止される。さらに、ドラムフレーム結合部材２３は、フック構造（図示せず）であってもよい。ドラムフレーム結合部材２３は、バスドラム３０のドラムフレーム３１に係止して固定される。
【００２２】
ドラムペダル結合部材２４は、ドラムペダル４０の形式によって、形を変えることができる。本考案の実施形態において、ドラムペダル結合部材２４はシートバーである。ドラムペダル４０は、従来の構造であり、基座４１、基座４１の前端に設けられた結合部材４２（結合部材４２は、バスドラム３０のドラムフレームに接続し固定するのに用いる。）、基座４１に設けられており、且つ前端が上下方向へ運動可能の踏板４３、および踏板４３にコントロールされ、往復揺動するドラムビータ４４を含む。結合部材４２は、挟持構造または錠止構造またはフック構造のうちいずれか一つの構造であり、ドラムペダル結合部材２４に挟持または錠止または係止することができる。
【００２３】
図３、図４に示すように、支持装置２０は、ドラムフレーム結合部材２３によって、バスドラム３０のドラムフレーム３１に組み合わせる。ドラムペダル４０は、結合部材４２によって、支持装置２０のドラムペダル結合部材２４に接続されており、ドラムフレーム３１と支持装置２０とドラムペダル４０とが相互に直列して固定されている。電子パッド１０は、バスドラム３０のドラムヘッド３２とドラムペダル４０のドラムビータ４４との間に位置している。電子パッド１０の打撃パッド１６は、ドラムビータ４４に向いている。封止板１７は、バスドラム３０のドラムヘッド３２に向いており、ドラムヘッド３２と距離を保持している。ドラマーは、ドラムペダル４０の踏板４３を踏むことによって、ドラムビータ４４が電子パッド１０の打撃パッド１６を打撃するようにする。打撃された振動は、電子センサ１２によって感応される。伝送回路１４およびソケット１３によって、信号を外部のトリガモジュール（図示せず）に伝送する。トリガモジュールは、信号を模擬されたバスドラムの音に転換され、スピーカやヘッドホンによって出力される。電子パッド１０は、支持装置２０によってバスドラム３０のドラムフレーム３１に組み合わせる。バスドラム３０のドラムヘッド３２は、電子パッド１０に取って代わることによって、ドラムセットのバスドラムを電子ドラムに改装される。また、電子パッド１０をバスドラム３０のドラムフレーム３１に組み合わせることと、ドラムペダル４０を支持装置２０に組み合わせる方法とが、非常に簡単で容易であるため、バスドラムを電子ドラムに改装または電子ドラムをバスドラムに回復することは、非常に便利で快速である。
【００２４】
ドラムビータ４４が打撃パッド１６に打撃されたとき、電子パッド１０の振動は、空気によってバスドラムのドラムヘッド３２に伝送することができるため、ドラムヘッド３２が同時に振動することにより、バスドラム３０を共鳴させる。バスドラム３０の振動共鳴を防ぐために、バスドラムの前部および後部のドラムヘッド３２に止音パッド３３を貼り付けることで、バスドラム３０の振動共鳴を制限することができる。バスドラムのドラムヘッドの振動共鳴を９５％以上有効に除去することによって、バスドラムの共鳴する雑音を遮断することができる。
【００２５】
図５に示すように、電子パッド１０の周辺には、飾り部１８が設けられている。飾り部１８は、ＬＥＤで構成されたライトユニットまたはライトバーであってもよい。飾り部１８は、電源コードおよび反応器により、電子センサ１２に結合される。ドラムビータ４４が打撃パッド１６に打撃されたとき、飾り部１８は、直ちに装飾効果を果たすことができる。たとえば、持続して光る、且つリズムに合わせて点滅するなどの効果を有し、視覚効果を高めることができる。
【符号の説明】
【００２６】
１０  電子パッド
１１  基板
１２  電子センサ
１３  ソケット
１４  伝送回路
１５  杆状溝
１６  打撃パッド
１７  封止板
１８  飾り部
２０  支持装置
２１  基座
２２  立設柱
２３  ドラムフレーム結合部材
２４  ドラムペダル結合部材
２５  横棒
２６  モジュール
２７  支持棒
２８  パッキン部材
２９  位置決め部材
３０  バスドラム
３１  ドラムフレーム
３２  ドラムヘッド
３３  ドラムヘッドの止音パッド
４０  ドラムペダル
４１  基座
４２  結合部材
４３  踏板
４４  ドラムビータ
【図１】
0003197280.tif 000003
【図２】
0003197280.tif 000004
【図３】
0003197280.tif 000005
【図４】
0003197280.tif 000006
【図５】
0003197280.tif 000007